(57)【要約】【課題】店舗のＰＯＳシステムとホストコンピュータのシステムとの整合性を図り、全体として一つのシステムとして運用する。【解決手段】実施形態の通信管理装置は、店舗のデータファイルを各店舗に対応するフォルダにそれぞれ格納して管理を行うホストコンピュータ及び前記店舗毎に設置された店舗コンピュータに通信ネットワークを介して接続可能である。そして、通信管理装置のファイル受信手段は、通信ネットワークを介して、店舗コンピュータからデータファイルを受信する。これによりファイル送信手段は、受信したデータファイルに基づいて、当該データファイルを管理するホストコンピュータにおけるデータファイルの格納先のフォルダを特定して当該データファイルの送信を行う。【選択図】図１
2013054648.tif 000002
【特許請求の範囲】
【請求項１】
店舗のデータファイルを各店舗に対応するフォルダにそれぞれ格納して管理を行うホストコンピュータ及び前記店舗毎に設置された店舗コンピュータに通信ネットワークを介して接続可能な通信管理装置であって、
前記通信ネットワークを介して、前記店舗コンピュータからデータファイルを受信するファイル受信手段と、
受信したデータファイルに基づいて、当該データファイルを管理するホストコンピュータにおける前記データファイルの格納先のフォルダを特定して当該データファイルの送信を行うファイル送信手段と、
を備えた通信管理装置。
【請求項２】
前記データファイルに含まれる送信元の店舗を特定する店舗特定情報と、前記格納先のフォルダと、の対応関係を予め記憶する格納先記憶手段を備え、
前記ファイル送信手段は、前記格納先記憶手段を参照して受信した前記データファイルの送信先のホストコンピュータにおける前記データファイルの格納先のフォルダを特定するフォルダ特定手段を備えた、
請求項１記載の通信管理装置。
【請求項３】
前記データファイルのファイル名には、前記店舗特定情報が含まれており、
前記フォルダ特定手段は、前記ファイル名から前記店舗特定情報を抽出する、
請求項２記載の通信管理装置。
【請求項４】
前記ファイル送信手段は、前記データファイルを送信するに先立って、当該データファイルのファイル名を対応するホストコンピュータにおいて要求されるファイル名に変更するファイル名変更手段を備えた請求項１乃至請求項３のいずれかに記載の通信管理装置。
【請求項５】
前記ファイル名変更手段は、データファイルの元のファイル名と、対応するホストコンピュータにおいて要求されるファイル名と、の対応関係を予め記憶するファイル名変換情報記憶手段を備え、当該ファイル名変換情報記憶手段を参照してファイル名を変更する、
請求項４記載の通信管理装置。
【請求項６】
店舗のデータファイルを各店舗に対応するフォルダにそれぞれ格納して管理を行うホストコンピュータ及び前記店舗毎に設置された店舗コンピュータに通信ネットワークを介して接続可能な通信管理装置をコンピュータにより制御するための制御プログラムであって、
前記コンピュータを、
前記通信ネットワークを介して、前記店舗コンピュータからデータファイルを受信するファイル受信手段と、
受信したデータファイルに基づいて、当該データファイルを管理するホストコンピュータにおける前記データファイルの格納先のフォルダを特定して当該データファイルの送信を行うファイル送信手段と、
して機能させる制御プログラム。
【発明の詳細な説明】
【技術分野】
【０００１】
本発明の実施形態は、通信管理装置及び制御プログラムに関する。
【背景技術】
【０００２】
従来、店舗に導入したＰＯＳ（Point Of Sales）システムと、複数の店舗のＰＯＳシステムを管理するホストコンピュータと、をネットワークを介して接続する技術が知られている（例えば、特許文献１参照）。
この場合において、各店舗に導入されたＰＯＳシステムが同系統（あるいは同一系統）の制御システムを搭載している場合、各店舗で作成される売上実績データファイルのファイル名は同じものとなっていた。一方、店舗のＰＯＳシステムがホストコンピュータから受け取るマスタファイルのファイル名も同じファイル名となっていた。
【０００３】
したがって、ホストコンピュータにより複数の店舗のＰＯＳシステムを制御下に置いた場合、同一ファイル名では、同時に処理したり、同時に制御したりすることはできなくなる。
このため、各店舗のＰＯＳシステムから集信してホストコンピュータに送信する、もしくはホストコンピュータから各店舗のＰＯＳシステムに配信するファイルに対し、例えば、ファイル名に日付時刻情報を付加することでユニークなファイル名になるように制御し、集信や配信が行われている。
【０００４】
また、ホストコンピュータから店舗へ配信するファイルは、どの店舗へ配信するのかはデータファイルだけでは判断がつかないため、ホストコンピュータ側からデータファイルの他に配信先の店舗情報を含むヘッダファイルを添付して配信していた。
【発明の概要】
【発明が解決しようとする課題】
【０００５】
ところで、近年、技術開発の進歩によって、コンピュータにおける処理スピードは著しく高速化するとともに、システム処理は複雑化してきている。
一方ではシステム構築における標準化も進んでおり、ユーザーがシステム構築を行う場合、各システム開発ベンダーで行っている開発や保守等の強みや弱みを理解し、最適なシステム導入を進めている。
同一ベンダー内で構築するシステムでは、１つのシステムを構築するための規約は容易にまとめることができる。しかしながら、１つのシステムを複数のベンダーが担当する場合は、そのシステムの規約をまとめることは非常に重要な課題であるが、困難を伴う。
【課題を解決するための手段】
【０００６】
実施形態の通信管理装置は、店舗のデータファイルを各店舗に対応するフォルダにそれぞれ格納して管理を行うホストコンピュータ及び前記店舗毎に設置された店舗コンピュータに通信ネットワークを介して接続可能である。
そして、通信管理装置のファイル受信手段は、通信ネットワークを介して、店舗コンピュータからデータファイルを受信する。
これによりファイル送信手段は、受信したデータファイルに基づいて、当該データファイルを管理するホストコンピュータにおけるデータファイルの格納先のフォルダを特定して当該データファイルの送信を行う。
【図面の簡単な説明】
【０００７】
【図１】図１は、実施形態のファイル管理システムの概要構成ブロック図である。
【図２】図２は、ＰＯＳシステムの概要構成の説明図である。
【図３】図３は、通信管理装置の機能構成ブロック図である。
【図４】図４は、実施形態のデータファイル送信時の処理フローチャートである。
【図５】図５は、データファイルのファイル名の構成説明図である。
【図６】図６は、店舗−フォルダデータベースのデータフォーマットの一例を説明する図である。
【図７】図７は、実施形態のマスタファイル配信時の処理フローチャートである。
【発明を実施するための形態】
【０００８】
図１は、実施形態のファイル管理システムの概要構成ブロック図である。
ファイル管理システム１０は、各店舗に配置されたＰＯＳシステム１１Ａ〜１１Ｃと、複数のＰＯＳシステム１１Ａ〜１１Ｃに通信ネットワーク１２を介して接続され、外部記憶装置１３Ａを備えた通信管理装置１３と、通信管理装置１３と通信ネットワーク１２を介して接続され、外部記憶装置１４Ａを備えたホストコンピュータ１５Ａと、通信管理装置１３と通信ネットワーク１２を介して接続され、外部記憶装置１４Ｂを備えたホストコンピュータ１５Ｂと、を備えている。
【０００９】
ここで、ホストコンピュータ１５Ａは、複数の店舗Ａ〜Ｃからのデータファイルを外部記憶装置１４Ａ上の同一のフォルダＦ０に格納するタイプのホストコンピュータである。
一方、ホストコンピュータ１５Ｂは、店舗Ａ〜Ｃのデータファイルを外部記憶装置１４Ｂ上の店舗毎のフォルダに格納するタイプのホストコンピュータである。
さらに、外部記憶装置１３Ａは、店舗Ａ〜Ｃとデータファイルの送信先のホストコンピュータとの対応関係及び店舗Ａ〜Ｃと外部記憶装置１４Ｂ上のフォルダとの対応関係を予め記憶する店舗−フォルダデータベース（ＤＢ）１６と、ファイル名変換時に必要な情報を予め記憶したファイル名変換データベース（ＤＢ）１７と、を備えている。なお、店舗−フォルダデータベース（ＤＢ）１６及びファイル名変換データベース（ＤＢ）１７の構成については、後に詳述する。
【００１０】
図２は、ＰＯＳシステムの概要構成の説明図である。
ＰＯＳシステム１１Ａ〜１１Ｃは、同様の構成を採っているので、図２においては、ＰＯＳシステム１１Ａを例として説明する。
ＰＯＳシステム１１Ａは、ＰＯＳシステム１１Ａ全体を統括する店舗コンピュータ（ストアサーバ）２１と、店舗コンピュータ２１にＬＡＮ（Local Area Network）等として構成された通信ネットワーク２２を介して接続された複数のＰＯＳ端末装置２３−１〜２３−ｎと、を備えている。
ここで、店舗コンピュータ２１は、パーソナルコンピュータ（ＰＣ）として構成されており、ＭＰＵ（Micro Processing Unit）等の制御装置と、ＲＯＭ（Read Only Memory）やＲＡＭ（Random Access Memory）等の記憶装置と、ＨＤＤ（Hard Disk Drive）、光学ディスクドライブ装置等の外部記憶装置と、ディスプレイ装置等の表示装置と、キーボードやマウス等の入力装置と、を備えている。さらに必要に応じて外部機器として、プリンタ等の出力装置が接続されている。
【００１１】
ＰＯＳ端末装置２３−１〜２３−ｎは、同様の構成を有しており、ＭＰＵ等の制御装置と、ＲＯＭやＲＡＭ等の記憶装置と、日時情報を生成する計時部と、外部機器などを制御するためのＩ／Ｏ（Input/Output）ポートと、通信ネットワークを構築するためのネットワークインタフェースと、キーボード、タッチパネル、スキャナ等の入力装置と、ディスプレイ装置等の表示装置と、プリンタ等の出力装置と、ＨＤＤ等の外部記憶装置と、を備えている。さらにＩ／Ｏポートには、ドロワ開放装置等が接続されている。
【００１２】
図３は、通信管理装置の機能構成ブロック図である。
通信管理装置１３は、ファイル受信機能Ｆ１と、ファイル種別判別機能Ｆ２と、ファイル転送先判別機能Ｆ３と、ファイル名変更機能Ｆ４と、ファイル転送機能（送信機能）Ｆ５と、を備えている。
ファイル受信機能Ｆ１は、通信ネットワーク１２を介して、ＰＯＳシステム１１Ａ〜１１Ｃあるいはホストコンピュータ１５Ａ、１５Ｂが送信したファイルを受信する。
ファイル種別判別機能Ｆ２は、ファイルの名称変更に必要である受信されたファイルの種別を判別する。
【００１３】
ファイル転送先判別機能Ｆ３は、受信したファイルの送信元のＰＯＳシステムに予め対応させられたホストコンピュータを転送先として判別する。
ファイル名変更機能Ｆ４は、ファイル種別判別機能Ｆ２によって判別されたファイルの種別に基づいて、受信したファイルのファイル名を転送先のＰＯＳシステムあるいはホストコンピュータに応じた名称に変更する。
ファイル転送機能（送信機能）Ｆ５は、ファイル転送先判別機能Ｆ３により判別された転送先のＰＯＳシステムあるいはホストコンピュータに通信ネットワーク１２を介して送信する。
【００１４】
次に実施形態の動作について説明する。
まず、各ＰＯＳシステム１１Ａ〜１１Ｃから対応するホストコンピュータに対してデータファイルを送信する場合の動作について説明する。
図４は、実施形態のデータファイル送信時の処理フローチャートである。
以下の説明においては、ＰＯＳシステム１１Ａ〜１１Ｃの店舗コンピュータ２１から通信管理装置１３に対して送信するファイルは、ファイル名に店舗コード及び送信日を含むデータファイルＤＦ１であるものとする。
通信管理装置１３のＭＰＵは、ＰＯＳシステム１１Ａ〜１１Ｃの店舗コンピュータ２１からヘッダファイルＨＦ及びデータファイルＤＦ１により構成されたファイルを受信すると（ステップＳ１）、データファイルＤＦ１のファイル名から、店舗コードを抽出する（ステップＳ１２）。
【００１５】
図５は、データファイルのファイル名の構成説明図である。
データファイルＤＦ１のファイル名ＦＮは、図５（ａ）に示すように、大別すると、店舗コード部３１と、送信日時部３２と、共通ファイル名部３３と、を備えている。
店舗コード部３１は、店舗毎にユニークに割り振られたコードに対応する文字列として構成されている。
具体的には、図５（ｂ）に示すように、５桁の数字列（図５（ｂ）では、「９９９９９」）等の任意桁数の文字列が用いられる。
【００１６】
送信日時部３２は、当該データファイルＤＦ１の送信日時を表す文字列として構成されている。
具体的には、図５（ｂ）に示すように、例えば、西暦４桁（ＹＹＹＹ）、月２桁（ＭＭ）、日２桁（ＤＤ）の８桁の文字列である。なお、必要に応じて、さらに時２桁及び分２桁の４桁（ｈｈｍｍ）あるいは時２桁、分２桁、秒２桁の６桁（ｈｈｍｍｓｓ）を追加した１２桁あるいは１４桁の文字列としてもよい。
【００１７】
共通ファイル名部３３は、ＰＯＳシステム１１Ａ〜１１ＣがデータファイルＤＦ１の内容、すなわち、処理対象が明確となるように、予め設定された共通のファイル名（処理対象ファイル名）が格納されている。
具体的には、図５（ｂ）に示すように、データファイルが、外販部の売り上げデータであり、そのデータフォーマットがテキストファイル形式である場合には、それらの旨を示す「外販部売上．ＴＸＴ」の文字列が格納されている。
【００１８】
次にＭＰＵは、店舗−フォルダデータベース１６を参照して、受信したデータファイルＤＦ１の送信先のホストコンピュータを特定する（ステップＳ１３）。
図６は、店舗−フォルダデータベースのデータフォーマットの一例を説明する図である。
店舗−フォルダデータベース１６は、図６（ａ）に示すように、店舗コードを格納した店舗コードデータ４１と、店舗コードに対応する店舗のデータファイルの送信先のホストコンピュータを特定するホスト情報（ホストコンピュータのホスト名あるいはＵＲＬ：Uniform Resource Locator）を格納したホスト情報データ４２と、店舗コードに対応する店舗のデータファイルを格納すべきフォルダを特定するためのフォルダ情報（フォルダパス）を格納したフォルダ情報データ４３と、を備えて構成されている。
【００１９】
具体的には、店舗コードデータ４１には、図６（ｂ）に示すように、５桁の数字列（図６（ｂ）では、「９９９９９」）等の任意桁数の文字列が格納される。
また、図６（ｂ）においてホスト情報データ４２には、理解の容易のため、図１に示すホストコンピュータである「ホストコンピュータ１５Ｂ」を記載しているが、実際には、ドメイン名あるいはＵＲＬが記載されている。
また、図６（ｂ）においてフォルダ情報データ４３には、理解の容易のため、図１に示すフォルダである「フォルダＦＡ」を記載しているが、実際には、対応するホストコンピュータのフォルダパスが記載されている。
【００２０】
次に特定したホストコンピュータが店舗毎に作成したフォルダでデータファイルを管理しているホストコンピュータであるか否かを判別する（ステップＳ１４）。
ステップＳ１４の判別において、特定したホストコンピュータが店舗毎に作成したフォルダでデータファイルを管理しているホストコンピュータではない場合、すなわち、全ての店舗のデータファイルを所定のフォルダで一括管理しているホストコンピュータである場合（本実施形態では、ホストコンピュータ１５Ａの場合）には（ステップＳ１４；Ｎｏ）、データファイルＤＦ１のファイル名を変更する必要はないので、処理をステップＳ１７に移行する。
【００２１】
ステップＳ１４の判別において、特定したホストコンピュータが店舗毎に作成したフォルダでデータファイルを管理しているホストコンピュータである場合（本実施形態では、ホストコンピュータ１５Ｂの場合）には（ステップＳ１４；Ｙｅｓ）、店舗−フォルダデータベース１６を参照して送信先のフォルダ（ホストサーバ名及びフォルダのパス）を特定する（ステップＳ１５）。
【００２２】
つぎに、データファイルＤＦ１の共通ファイル名部３３及びファイル名変換データベース１７を参照して、ホストコンピュータで管理しているデータファイルのファイル名である固定ファイル名に変更する（ステップＳ１６）。
ここで、ファイル名変換データベース１７は、共通ファイル名部３３において特定される共通ファイル名と、固定ファイル名との対応関係を予め記憶している。
具体的には、共通ファイル名部３３の内容が「外販部売上．ＴＸＴ」となっている場合には、例えば、拡張子を売り上げデータファイルに対応する「ＤＡＴ」に変換して「外販部売上．ＤＡＴ」とした、データファイルＤＦ２とする。ここで、データファイルＤＦ２の内容は、元のデータファイルＤＦ１と同一である。
【００２３】
次に、データファイルＤＦ１あるいはファイル名変更後のデータファイルＤＦ２を対応するホストコンピュータに送信する（ステップＳ１７）。
具体的には、送信先のホストコンピュータが、店舗毎に作成したフォルダでデータファイルを管理せず、全ての店舗のデータファイルを所定のフォルダで一括管理しているホストコンピュータ１５Ａである場合には、ホスト名を指定して受信したデータファイルＤＦ１をそのまま、例えば、図示しないＦＴＰ（File Transfer Protcol）サーバを介してＦＴＰ転送する。これによりデータファイルＤＦ１は、ホストコンピュータ１５Ａの外部記憶装置１４Ａにおいて、全ての店舗のデータファイルを格納している所定のフォルダＦ０（図１参照）に転送され、格納されることとなる。
【００２４】
一方、送信先のホストコンピュータが、店舗毎に作成したフォルダでデータファイルを管理しているホストコンピュータ１５Ｂである場合には、ファイル名を変更したデータファイルＤＦ２をホスト名及びフォルダを指定して、例えば、図示しないＦＴＰサーバを介してＦＴＰ転送する。これによりデータファイルＤＦ２は、ホストコンピュータ１５Ｂにおいて、送信元のＰＯＳシステムが属する店舗に対応するフォルダに転送されることとなる。具体的には、データファイルＤＦ２は、ホストコンピュータ１５Ｂの外部記憶装置１４Ｂにおいて、店舗Ａのデータファイルを格納している所定のフォルダＦＡ（図１参照）に転送され、格納されることとなる。なお、図１においては、外部記憶装置１４Ｂにおいては、店舗Ｘのデータファイルを格納している所定のフォルダＦＸ及び店舗Ｚのデータファイルを格納している所定のフォルダＦＺを図示している。
この結果、各ホストコンピュータ１５Ａ、１５Ｂは、送信されたデータファイルＤＦ１あるいはデータファイルＤＦ２に基づいて、必要に応じて自己が管理するマスタファイルを更新することとなる。
【００２５】
次に、ホストコンピュータ１５Ａ又はホストコンピュータ１５Ｂから取得したマスタファイルを各ＰＯＳシステム１１Ａ〜１１Ｃに配信する場合の動作について説明する。
図７は、実施形態のマスタファイル配信時の処理フローチャートである。
この場合において、通信管理装置１３には、ホストコンピュータ１５Ａ、１５Ｂ毎にマスタファイルの配信スケジュールが登録されているものとする。
【００２６】
まず、通信管理装置１３のＭＰＵは、登録されている配信スケジュールをチェックする（ステップＳ２１）。
続いて、通信管理装置１３のＭＰＵは、配信スケジュールに基づいて、マスタファイルの配信タイミングであるか否かを判別する（ステップＳ２２）。
ステップＳ２２の判別において、マスタファイルの配信タイミングではない場合には（ステップＳ２２；Ｎｏ）、処理を再びステップＳ２１に移行し、待機状態となる。
【００２７】
ステップＳ２２の判別において、マスタファイルの配信タイミングである場合には（ステップＳ２２；Ｙｅｓ）、配信スケジュールにしたがって、対応するホストコンピュータ１５Ａ又はホストコンピュータ１５Ｂに対して、フォルダあるいは店舗を指定してマスタファイルの送信要求を行う（ステップＳ２３）。
このマスタファイルの送信要求に対し、ホストコンピュータ１５Ａ又はホストコンピュータ１５Ｂは、マスタファイルＭＦ１、ＭＦ２が更新されている場合には、図１に示すように、通信ネットワーク１２を介して通信管理装置１３にマスタファイルＭＦ１あるいはマスタファイルＭＦ２を送信する。
【００２８】
続いて、通信管理装置１３のＭＰＵは、ホストコンピュータ１５Ａ又はホストコンピュータ１５ＢからマスタファイルＭＦ１あるいはマスタファイルＭＦ２を受信したか否かを判別する（ステップＳ２４）。
ステップＳ２４の判別において、ホストコンピュータ１５Ａ又はホストコンピュータ１５ＢからマスタファイルＭＦ１あるいはマスタファイルＭＦ２を受信していない場合には（ステップＳ２４；Ｎｏ）、マスタファイルの更新要求に対応するマスタファイルＭＦ１あるいはマスタファイルＭＦ２が更新されていないので、処理を再びステップＳ２１に移行し、待機状態となる。
【００２９】
ステップＳ２４の判別において、ホストコンピュータ１５Ａ又はホストコンピュータ１５ＢからマスタファイルＭＦ１あるいはマスタファイルＭＦ２を受信した場合には（ステップＳ２４；Ｙｅｓ）、店舗コード、送信日付を含むファイル名に変更する（ステップＳ２５）。
具体的には、マスタファイルＭＦ２のファイル名が、例えば、「売上マスタ．ＤＡＴ」であった場合に、店舗ＡのＰＯＳシステム１１ＡにマスタファイルＭＦ２を送信（配信）する際には、店舗Ａの店舗コード（上述の例の場合、「９９９９９」）および配信日（上述の８桁の例の場合「ＹＹＹＹＭＭＤＤ」）を含むファイル名＝「９９９９９ＹＹＹＹＭＭＤＤ売上マスタ．ＤＡＴ」に変更する。
【００３０】
そして、ファイル名変更後のマスタファイルＭＦを対応するＰＯＳシステムに送信する（ステップＳ２６）。
具体的には、ファイル名＝「９９９９９ＹＹＹＹＭＭＤＤ売上マスタ．ＤＡＴ」のマスタファイルＭＦを店舗ＡのＰＯＳシステム１１Ａに送信して処理を終了することとなる。
【００３１】
以上の説明のように、店舗のＰＯＳシステムとホストコンピュータのシステムとが別のベンダーにより構築されたような場合であっても、店舗のＰＯＳシステムとホストコンピュータのシステムとの間に、本実施形態の通信管理装置１３を介在させることで、店舗のＰＯＳシステムから送信されるデータファイルＤＦ１を適宜管理して、各ホストコンピュータに送信することとなり、店舗のＰＯＳシステムとホストコンピュータのシステムとの整合性を図り、全体として一つのシステムとして運用することが可能となる。
【００３２】
また、複数の店舗のＰＯＳシステム１１Ａ〜１１Ｃを一つのホストコンピュータで管理するような場合でも、通信管理装置１３を介してデータファイルの送信を行うように構成することにより、容易にシステムを構築して、運用を行うことができる。
【００３３】
以上の説明においては、ＰＯＳシステム１１Ａ〜１１Ｃからホストコンピュータ１５Ａ、１５Ｂにデータファイルの送信を行う場合に、通信管理装置１３において、ファイル名の変換（変更）を行う場合についてのみ説明したが、必要に応じてファイルフォーマット変換データベースを設け、ファイルフォーマットの変換を行うように構成することも可能である。このように構成することにより、より一層柔軟にシステム構築を行うことができる。ファイルフォーマットの変換処理としては、データファイルに含まれるデータサイズの変更、データ数の変更（特にデータの追加）、データ並びの変更などが挙げられる。
【００３４】
本実施形態の通信管理装置で実行される制御プログラムは、インストール可能な形式又は実行可能な形式のファイルでＣＤ−ＲＯＭ（Compact Disc Read Only Memory）、フレキシブルディスク（ＦＤ）、ＣＤ−Ｒ（Compact Disc Rewritable）、ＤＶＤ（Digital Versatile Disk）等のコンピュータで読み取り可能な記録媒体に記録されて提供される。
また、本実施形態の通信管理装置で実行される制御プログラムを、インターネット等のネットワークに接続されたコンピュータ上に格納し、ネットワーク経由でダウンロードさせることにより提供するように構成してもよい。また、本実施形態の通信管理装置で実行される制御プログラムをインターネット等のネットワーク経由で提供または配布するように構成してもよい。
【００３５】
また、本実施形態の通信管理装置の制御プログラムを、ＲＯＭ等に予め組み込んで提供するように構成してもよい。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１０    ファイル管理システム
１１Ａ〜１１Ｃ  ＰＯＳシステム
１２    通信ネットワーク
１３    通信管理装置
１５Ａ  ホストコンピュータ
１５Ｂ  ホストコンピュータ
１６    店舗−フォルダデータベース
１７    ファイル名変換データベース
２１    店舗コンピュータ
３１    店舗コード部
３２    送信日時部
３３    共通ファイル名部
４１    店舗コードデータ
４２    ホスト情報データ
４３    フォルダ情報データ
ＤＦ１、ＤＦ２  データファイル
Ｆ０、ＦＡ、ＦＸ、ＦＺ    フォルダ
ＭＦ、ＭＦ１、ＭＦ２  マスタファイル
【先行技術文献】
【特許文献】
【００３７】
【特許文献１】特開２００２−３２９２５９号公報
【図１】
2013054648.tif 000003
【図２】
2013054648.tif 000004
【図３】
2013054648.tif 000005
【図４】
2013054648.tif 000006
【図５】
2013054648.tif 000007
【図６】
2013054648.tif 000008
【図７】
2013054648.tif 000009